(57)【要約】【課題】容易に構築可能かつ意匠性に優れると共に、多様な設置場所に対応可能な組立構造物及び組立構造物の構築方法を提供する。【解決手段】組立茶室１は、土台２と、支持床３と、居住床４と、建具５を備えている。土台２は組立茶室１を配置する場所の床面に設置される基礎部分であり、土台２より上の各領域を支持するものとなる。また、支持床３は、組立茶室１の床面の強度を保つ部材であり、土台２の上側かつその内側に配置される。居住床４は、フローリング部６と畳部７から構成され、支持床３の上側に配置される。居住床４が、組立茶室１を使用する人が実際に座る部分となる。また、建具５は、組立茶室１の内外を仕切る部材であり、フローリング部６の外周の位置を境界に空間を仕切るものとなっている。【選択図】図１
2015229834.tif 000002
【特許請求の範囲】
【請求項１】
複数の板状体を配置して形成された床部と、
該床部に対して略垂直に配置され、同床部の一方の面側から同床部を支持可能な土台部と、
前記床部の他方の面側に設けられた壁部とを備える
組立構造物。
【請求項２】
前記土台部は前記床部の端部近傍に沿って配置され、隣接する部材同士が連結可能に形成された腰壁部と、該腰壁部の内側に配置され、隣接する部材同士または隣接する同腰壁部と連結可能に形成された中桟部とを有する
請求項１に記載の組立構造物。
【請求項３】
前記壁部は隣接する部材同士が連結可能に形成された
請求項１または請求項２に記載の組立構造。
【請求項４】
前記床部は隣接する板状体の間に所定の間隙を設けた
請求項１、請求項２または請求項３に記載の組立構造物。
【請求項５】
前記床部は外周側に配置されたフローリング部材と、該フローリング部材で囲まれた領域に配置された畳部材とを有する
請求項１、請求項２、請求項３または請求項４に記載の組立構造物。
【請求項６】
前記腰壁部及び前記中桟部は垂直方向の高さを調節可能な調節部を備える
請求項２に記載の組立構造物。
【請求項７】
前記調節部は所定の角度範囲内で傾斜可能に構成された
請求項６に記載の組立構造物。
【請求項８】
前記床部と前記腰壁部の間に前記壁部が配置された
請求項２に記載の組立構造物。
【請求項９】
前記壁部の少なくとも一部は電源に連結されて発光可能に形成された
請求項１、請求項２、請求項３、請求項４または請求項５に記載の組立構造物。
【請求項１０】
隣接する部材同士が連結可能な腰壁部と、該腰壁部の内側に配置され、隣接する部材同士または隣接する同腰壁部と連結可能な中桟部とを組み合わせて土台を形成する第１の工程と、
該第１の工程で組み合わせた土台の上に、複数の床部材を配置して床面を形成する第２の工程と、
該第２の工程で形成された床面の上に複数の壁部を設ける第３の工程とを備える
組立構造物の構築方法。
【請求項１１】
前記第１の工程で、前記腰壁部及び前記中残の各々の垂直方向の高さの調節を行う
請求項１０に記載の組立構造物の構築方法。
【発明の詳細な説明】
【技術分野】
【０００１】
本発明は、組立構造物及び組立構造物の構築方法に関する。詳しくは、容易に構築可能かつ意匠性に優れると共に、多様な設置場所に対応可能な組立構造物及び組立構造物の構築方法に係るものである。
【背景技術】
【０００２】
ホテルやショッピングモール等の施設において、その雰囲気を異ならせる目的で、デザイン性に優れた組立構造物が使用されている。例えば、和室空間の組立構造物を設けることで、施設の印象を変える役割を果たすものとなる。
【０００３】
また、組立構造物の内部を人が使用可能な空間として構築し、催し物の際に使用したり、休憩スペースとして利用したりして用いられる場合もある。
【０００４】
組立構造物の多くは、期間限定で設置されるものであり、都度、設置場所での構築及び分解の作業が必要となるため、容易に構築できることが求められる。また、茶室を模した構造物等、実際に使用可能な空間として構築されるものでは、強度と安定した構造が必要となる。
【０００５】
こうしたなか、容易に構築及び分解が可能な組立構造物の提供を試みた組立小間が存在し、例えば、特許文献１に記載の組立小間が提案されている。
【０００６】
ここで、特許文献１には、図１１に示すような組立小間１００の構造が記載されている。組立小間１００は、柱１０１と、土台枠１０２と、幕板１０３と、天井板１０４で構成される。
【０００７】
組立小間１００は、四隅に柱１０１を立て、柱１０１の下部によって土台枠１０２を固定している。また、柱１０１の上部の差し込みによって幕板１０３を固定し、柱１０１の上端と幕板１０３の間に天井板１０４を乗せた構造となっている。
【先行技術文献】
【特許文献】
【０００８】
【特許文献１】特開２００２−３０９７８６号公報
【発明の概要】
【発明が解決しようとする課題】
【０００９】
しかしながら、特許文献１に記載の組立小間は、簡易な構造としながら、大小複数の部材から構成されており、構築に手間がかかるものとなっている。特に、四隅に立てた柱同士の間に間柱を立てて敷居及び鴨居を配置する構造は部材も多く、複雑なものと言える。
【００１０】
また、四隅に柱を立てる構造から、小間の形状が限定されるものとなり、組立構造物の形状としての自由度が低いものとなっている。特に、配置場所の印象を異ならせるためには、形状に自由度を持たせることが重要となる。
【００１１】
また、土台枠はいずれも平坦な部材で構成されている。そのため、平坦な床面に配置される際には良いが、凹凸や傾斜を有する床面に配置される際には、土台枠を平坦に設置することが困難となる。
【００１２】
この結果、土台枠の上に配置される畳を水平に配置できなくなり、実使用時の居住性に悪影響を及ぼすことが考えられる。また、見た目が悪くなるおそれもある。
【００１３】
本発明は、以上の点に鑑みて創案されたものであり、容易に構築可能かつ意匠性に優れると共に、多様な設置場所に対応可能な組立構造物及び組立構造物の構築方法を提供することを目的とする。
【課題を解決するための手段】
【００１４】
上記の目的を達成するために、本発明の組立構造物は、複数の板状体を配置して形成された床部と、該床部に対して略垂直に配置され、同床部の一方の面側から同床部を支持可能な土台部と、前記床部の他方の面側に設けられた壁部とを備える。
【００１５】
ここで、板状体を配置して形成された床部によって、組立構造物の中に人が座ることが可能な床を設けることができる。
【００１６】
また、床部が複数の板状体を配置して形成されることによって、組立構造物の床の大きさや形状の変更を容易に行うことができる。即ち、所望の面積や形状の床となるよう板状体を組み合わせて構築することができる。また、１枚ものの板材を床として配置する場合に比べて、組立時の運搬や設置の作業が容易となる。
【００１７】
また、床部に対して略垂直に配置され、床部の一方の面側から床部を支持可能な土台部によって、組立構造物を支持する基礎構造を構築することができる。
【００１８】
また、床部の他方の面側に設けられた壁部によって、組立構造物の内側と外側の空間を区切る仕切りとすることができる。即ち、例えば、床部の中央領域を複数の壁部で囲繞した際には、壁部で仕切られた小部屋空間を形成することができる。
【００１９】
また、土台部が床部の端部近傍に沿って配置され、隣接する部材同士が連結可能に形成された腰壁部を有する場合には、土台部を床部の大きさに対応させ、かつ、安定した構造とすることができる。即ち、連結された腰壁部の構造体が土台部の外枠となり、床部を支持するものとなる。また、腰壁部が複数の部材で形成されるため、組立時の運搬や設置の作業が容易となる。
【００２０】
また、土台部が腰壁部の内側に配置され、隣接する部材同士または隣接する腰壁部と連結可能に形成された中桟部を有する場合には、土台部が床部の略中央側の領域を充分に支持可能な構造となる。また、中桟部が複数の部材で形成されるため、組立時の運搬や設置の作業が容易となる。
【００２１】
また、土台部が床部の端部近傍に沿って配置され、隣接する部材同士が連結可能に形成された腰壁部と、腰壁部の内側に配置され、隣接する部材同士または隣接する腰壁部と連結可能に形成された中桟部とを有する場合には、床部の外周側と略中央側の領域を土台部によって、より一層充分に支持可能な構造となる。
【００２２】
また、壁部の隣接する部材同士が連結可能に形成された場合には、組立構造物をより安定な構造とすることができる。即ち、例えば、床部の中央領域を複数の壁部で囲繞した際には、壁部が一体化した構造となり、安定性をより向上させることができる。
【００２３】
また、床部が隣接する板状体の間に所定の間隙を設けた場合には、床部を略平坦に配置しやすくなる。即ち、部材間に間隙があることで、隣接する部材同士が干渉しにくくなり、所望の位置に配置しやすくなる。なお、ここでいう、所定の間隙とは、略５ｍｍ程度の隙間を意味するものである。
【００２４】
また、床部が、外周側に配置されたフローリング部材と、フローリング部材で囲まれた領域に配置された畳部材とを有する場合には、組立構造物の実使用時の居住性と意匠性を高めることができる。また、例えば、畳の領域が存在することで、茶室や休憩スペースとしての使用しやすい構造となる。
【００２５】
また、腰壁部及び中桟部が垂直方向の高さを調節可能な調節部を備える場合には、起伏や傾斜を有する場所にも組立構造物を容易に構築することが可能となる。即ち、腰壁部及び中桟部を配置する位置の設置面の高さに応じて、各々の部材の高さを調節することで、床部を略水平に配置可能となる。この結果、組立構造物の実使用時の居住性を向上させることができる。また、組立構造物を設置する場所の選択の幅を広げることができる。
【００２６】
また、調節部が所定の角度範囲内で傾斜可能に構成された場合には、起伏や傾斜を有する場所に、より一層、組立構造物を容易に構築することが可能となる。即ち、腰壁部及び中桟部を配置する位置の設置面の起伏や傾斜に対し、部材の高さと傾きで対応可能な構造となる。
【００２７】
また、床部と腰壁部の間に壁部が配置された場合には、組立構造物をより一層安定した構造とすることができる。即ち、壁部が床部と腰壁部に挟まれて支持される構造となり、壁部を安定して配置することが可能となる。
【００２８】
また、壁部の少なくとも一部が電源に連結されて発光可能に形成された場合には、組立構造物の意匠性をより一層高めることができる。例えば、壁部にアクリル導光板を配置して、光による装飾を施すことができる。また、着色されたシート等を介して光の色を調節することで、イメージを異ならせることもできる。
【００２９】
また、上記の目的を達成するために、本発明の組立構造物の構築方法は、隣接する部材同士が連結可能な腰壁部と、該腰壁部の内側に配置され、隣接する部材同士または隣接する同腰壁部と連結可能な中桟部とを組み合わせて土台を形成する第１の工程と、該第１の工程で組み合わせた土台の上に、複数の床部材を配置して床面を形成する第２の工程と、該第２の工程で形成された床面の上に複数の壁部を設ける第３の工程とを備える。
【００３０】
ここで、腰壁部及び中桟部を組み合わせて土台を形成する第１の工程によって、組立構造物を支持する基礎構造を構築することができる。また、腰壁部及び中桟部が複数の部材で形成されるため、組立時の運搬や設置の作業が容易となる。
【００３１】
また、土台を形成する第１の工程の隣接する部材同士が連結可能な腰壁部によって、土台を安定した構造とすることができる。即ち、連結された腰壁部の構造体が土台の枠となり、床面を支持するものとなる。また、腰壁部が複数の部材で形成されるため、組立時の運搬や設置の作業が容易となる。
【００３２】
また、土台を形成する第１の工程の腰壁部の内側に配置され、隣接する部材同士または隣接する腰壁部と連結可能な中桟部によって、土台の略中央側の領域に中桟部の構造体が配置されることとなり、土台を安定した構造とすることができる。また、中桟部が複数の部材で形成されるため、組立時の運搬や設置の作業が容易となる。
【００３３】
また、隣接する部材同士が連結可能な腰壁部と、腰壁部の内側に配置され、隣接する部材同士または隣接する腰壁部と連結可能な中桟部とを組み合わせて土台を形成する第１の工程によって、土台が安定した構造となり、床面をより一層充分に支持することが可能となる。
【００３４】
また、第１の工程で組み合わせた土台の上に、複数の床部材を配置して床面を形成する第２の工程によって、組立構造物の中に人が座ることが可能な床を設けることができる。
【００３５】
また、第２の工程で形成された床面の上に複数の壁部を設ける第３の工程によって、組立構造物の内側と外側の空間を区切る仕切りとすることができる。即ち、例えば、床部の中央領域を複数の壁部で囲繞した際には、壁部で仕切られた小部屋空間を形成することができる。
【００３６】
また、第１の工程で、腰壁部及び中残の各々の垂直方向の高さの調節を行う場合には、起伏や傾斜を有する場所にも組立構造物を容易に構築することが可能となる。即ち、腰壁部及び中桟部を配置する位置の設置面の高さに応じて、各々の部材の高さを調節することで、床部を略水平に配置可能となる。この結果、組立構造物の実使用時の居住性を向上させることができる。また、組立構造物を設置する場所の選択の幅を広げることができる。
【発明の効果】
【００３７】
本発明に係る組立構造物は、容易に構築可能かつ意匠性に優れると共に、多様な設置場所に対応可能なものとなっている。
また、本発明に係る組立構造物の構築方法は、容易に構築可能かつ意匠性に優れると共に、多様な設置場所に対応可能な組立構造物を設置できる方法となっている。
【図面の簡単な説明】
【００３８】
【図１】組立茶室の各領域を示す概略図である。
【図２】腰壁部を示す概略図（ａ）及び八角形用の中桟を示す概略図（ｂ）である。
【図３】連結具で連結された部材の概略側面図（ａ）、連結構造を上側から見た図（ｂ）及びアジャスターの構造を示す概略図（ｃ）である。
【図４】フローリング下用の中桟を示す概略図（ａ）及び畳下用の中桟を示す概略図（ｂ）である。
【図５】建具の配置を示す概略図である。
【図６】建具の木枠の構造の一例を示す概略平面図である。
【図７】配線構造の一部を示す概略断面図である。
【図８】支持床及び炉を配置する構造を示す概略図である。
【図９】フローリング部を配置する構造を示す概略図である。
【図１０】畳部を配置した組立茶室の完成状態を示す概略図である。
【図１１】従来の組立小間の構造を示す概略図である。
【発明を実施するための形態】
【００３９】
以下、本発明を適用した組立構造物の一例について図面を参照しながら説明し、本発明の理解に供する。なお、以下の内容は本発明の実施の形態の一例に過ぎず、本発明の内容はこれらに限定されるものではない。
図１は、組立茶室の各領域を示す概略図である。
【００４０】
図１に示すように、本発明を適用した組立構造物の一例である組立茶室１は、土台２と、支持床３と、居住床４と、建具５を備えている。
【００４１】
土台２は組立茶室１を配置する場所の床面に設置される基礎部分であり、土台２より上の各領域を支持する。また、支持床３は、組立茶室１の床面の強度を保つ部材であり、土台２の上側かつその内側の領域に配置される。
【００４２】
居住床４は、フローリング部６と畳部７から構成され、支持床３の上側に配置される。居住床４が、組立茶室１を使用する人が実際に座る部分となる。また、建具５は、組立茶室１の内外を仕切る部材であり、フローリング部６の外周の位置を境界に空間を仕切るものとなっている。
【００４３】
また、組立茶室１では、土台２、支持床３、フローリング部６及び建具５を平面視すると略八角形の形状を有する構造となっている。また、畳部７及び支持床３の一部には、炉８を配置するための孔部が形成されている。
【００４４】
ここで、必ずしも、組立構造物が茶室として構築される必要はない。茶室は構造物の一例である。例えば、居住床の全面を畳にして休憩スペースにすることや、オブジェや花等の装飾物を置いて観賞用に利用することも可能である。
【００４５】
また、必ずしも、組立茶室１の床が支持床３と居住床４に分けられる必要はなく、これらが一体化した構造も採用しうる。但し、床を２層に分けることで、各部材の重量が軽くなり、持ち運びが容易になる点や、強度を担保する支持床３の形状と、見た目や居住性に寄与する居住床４の形状を異ならせて、安定性と使い勝手を両立できる点から、組立茶室１の床が支持床３と居住床４に分けられることが好ましい。
【００４６】
また、必ずしも、居住床４がフローリング部６と畳部７から構成される必要はない。例えば、居住床４の全面をフローリング部または畳部とすることも可能である。
【００４７】
また、必ずしも、土台２、支持床３、フローリング部６及び建具５が略八角形の形状を有する必要はない。適宜、形状や大きさを変化して構築することが可能である。例えば、六角形や円形等、適宜、所望の形状を採用することができる。
【００４８】
以下、組立茶室の各領域の詳細な構造について説明する。
【００４９】
図２は、腰壁部を示す概略図（ａ）及び八角形用の中桟を示す概略図（ｂ）である。図２（ａ）に示すように、土台２は複数の腰壁９を有している。
【００５０】
腰壁９は、隣接する部材同士が連結可能な構造となっており、８つの部材を組み合わせることで、略八角形の土台２の外枠部分となる。また、腰壁９の上端面には建具５が配置される溝部１０が形成されている。
【００５１】
また、腰壁９の内側の面には略垂直な縦溝１１が形成されている。縦溝１１は後述する中桟の端部と嵌合する部分となっている。また、腰壁９の外側の面には一定間隔でリブ材４１が取り付けられ、リブ材４１同士の間には溝部４２が形成されている。
【００５２】
図２（ｂ）に示すように、八角形用の中桟１２が腰壁９で囲まれた領域の内側に配置される。中桟１２は、隣接する部材同士が連結可能な構造となっており、８つの部材を組み合わせることで略八角形の構造体となる。
【００５３】
また、中桟１２は枠状の形状を有しており、８つのうち４つは内側及び外側の両面に略垂直な縦溝１３が形成されている。また、残り４つは外側の面に縦溝１４が形成されている。縦溝１３を有する中桟１２と、縦溝１４を有する中桟１２が交互に配置されている。
【００５４】
中桟１２の外側の面に形成された縦溝１３及び縦溝１４は、腰壁９の縦溝１１と対向し、腰壁９及び中桟１２の間に配置されるフローリング下用の中桟の両端部と嵌合する部分となっている。
【００５５】
また、中桟１２の内側の面に形成された縦溝１３は、中桟１２で囲まれた領域に配置される畳下用の中桟の両端部と嵌合する部分となっている。
【００５６】
ここで、腰壁９及び中桟１２について、隣接する部材同士の連結構造は特に限定されるものではない。但し、後述する連結具を用いることで、容易かつ安定した連結構造とすることができる。この点については後の段落で詳細を説明する。
【００５７】
また、必ずしも、腰壁９の外側の面に一定間隔でリブ材４１が取り付けられ、リブ材４１同士の間には溝部４２が形成される必要はない。但し、組立茶室１の意匠性を高めることができる点から、腰壁９の外側の面に一定間隔でリブ材４１が取り付けられ、リブ材４１同士の間には溝部４２が形成されることが好ましい。
【００５８】
また、必ずしも、中桟１２が枠状の形状とされる必要はない。但し、土台２の強度を担保しつつ、個別の部材の重量を軽くして、組立時や分解時の持ち運びが容易となる点から、中桟１２が枠状の形状とされることが好ましい。
【００５９】
また、必ずしも、腰壁９及び中桟１２が同じ略八角形の構造体とされる必要はなく、異ならせることもできる。但し、土台２の内側と外側の部材を同一形状の多角形にすることで、安定した構造体とすることが可能となる。
【００６０】
腰壁９、中桟１２及び建具５の連結構造について説明する。
図３（ａ）は、連結具で連結された部材の概略側面図である。図３（ｂ）は、連結構造を上側から見た図である。
【００６１】
腰壁９、中桟１２及び建具５はいずれも、前述したように組み合わされて略八角形の形状を有する構造体となるが、図３（ａ）に示す連結具１５によって隣接する部材同士が連結されている。
【００６２】
図３（ａ）には、腰壁を例として、左側の腰壁１６と右側の腰壁１７が端面で接して連結されている。連結具１５は、雌雄型の部材で構成され、腰壁１６の端面内側に雌型具１８が、また腰壁１７の端面内側に雄型具１９がそれぞれ嵌め込まれている。
【００６３】
雌型具１８及び雄型具１９は、腰壁１６及び腰壁１７の端面が接した際に、互いに正対する位置に配置されている。
【００６４】
また、図３（ｂ）に示すように、雄型具１９には、六角ドライバーの先端が挿通可能な孔２０が形成され、その内側にドライバーの回転に応じて可動する可動凸部２１を有している。また、雄型具１９の雌型具１８と対向する端面には２つの凸部２２が形成されている。雌型具１８には、可動凸部２１に対応する溝部と、凸部２２に対応する嵌合孔とが形成されている。
【００６５】
連結具１５は、腰壁１６及び腰壁１７の端面が接した時に、雄型具１９の凸部２２と雌型具１８の嵌合孔とが嵌合する。さらに孔２０に六角ドライバーの先端を回転させて、可動凸部２１を回転させると、雌型具の溝部に可動凸部２１が入りロック状態となる。これにより、隣接する腰壁同士が強固に連結される。
【００６６】
ここで、必ずしも、腰壁等の部材の連結に連結具１５が使用される必要はない。隣接する部材の連結及び取外しが可能な構造であれば充分である。但し、六角ドライバーのみの使用で部材同士を容易かつ強固に連結できる点から、腰壁等の部材の連結に連結具１５が使用されることが好ましい。
【００６７】
土台２の高さ調節構造について説明する。
図３（ｃ）は、アジャスターの構造を示す概略図である。
【００６８】
土台２は前述した腰壁９、中桟１２と、後述するフローリング下用の中桟及び畳下用の中桟から構成されている。これら腰壁９及び中桟の下端面の両端近傍には図３（ｃ）に示すアジャスター２３が設けられている。
【００６９】
アジャスター２３は、外周面状にねじ溝が形成され、腰壁等の下端面に埋め込まれる軸部２４を有している。また、アジャスター２３は、軸部２４の外周面に設けられた高さ調節用のナット２５と、軸部２４を支持する接地部２６を有している。
【００７０】
ねじ構造にてナット２５を軸部２４に対して回転させることで、腰壁等の下端面からの軸部２４の突出量を変化させて、腰壁等の部材の地面からの高さを調節可能なものとなっている。
【００７１】
また、軸部２４は接地部２６に対して、通常は略垂直な向きとなるが、接地部２６が接する地面の起伏や傾斜に応じて、軸部２４の傾きが変わる構造となっている。その傾きの変化は、略３０度の範囲で可変可能なものとなっている。
【００７２】
腰壁９及び中桟の下端面に２つのアジャスター２３を設けたことで、起伏や傾斜を有する地面に対しても腰壁及び中桟の上端の位置を合せることができる。即ち、土台２の上に支持床３及び居住床４を水平に配置することが可能となる。即ち、土台２を設置する場所の適用範囲を広げることができる。
【００７３】
また、支持床３や居住床４を配置する際に、各部材の位置が合わない等の不具合が生じにくく、組立を容易にすることができる。また、組立茶室１の見栄えを良くすることにもつながる。
【００７４】
ここで、必ずしも、腰壁９及び中桟の下端面にアジャスター２３が設けられる必要はない。但し、前述したように、土台２の設置する場所の適用範囲を広げることができる点から、腰壁９及び中桟の下端面にアジャスター２３が設けられることが好ましい。
【００７５】
また、土台２の各部材に高さ調節の構造を設ける場合には、必ずしも、アジャスター２３の構造である必要はない。例えば、高さ調節のみで角度調節の機能のない部材も採用しうる。
【００７６】
図４は、フローリング下用の中桟を示す概略図（ａ）及び畳下用の中桟を示す概略図（ｂ）である。
【００７７】
図４（ａ）に示すように、略八角形状に組まれた腰壁９及び中桟１２の間に、８つのフローリング下用の中桟２７が配置される。中桟２７は、組立茶室１の完成時にフローリング部６の下方に位置する部分となる。
【００７８】
中桟２７は枠状の形状を有しており、腰壁９の縦溝１１と、中桟１２の縦溝１３または縦溝１４の間に挟まれ、その両端部は各縦溝と嵌合するものとなっている。
【００７９】
図４（ｂ）に示すように、略八角形状に組まれた中桟１２の内側の領域に、２つの枠状の中桟２８と、中桟２８の略２倍の長さを有する枠状の中桟２９が配置される。中桟２９の両面の真ん中の部分には、略垂直な縦溝３０が設けられている。
【００８０】
中桟２９は、中桟１２の縦溝１４同士の間に挟まれ、その両端部は各縦溝と嵌合するものとなっている。また、中桟２８は、中桟１２の縦溝１４及び中桟２９の縦溝３０の間に挟まれ、その両端部は各縦溝と嵌合するものとなっている。
【００８１】
組み合わされた中桟２８及び中桟２９は略十字の形状となり、組立茶室１の完成時に畳部６の下方に位置する部分となる。即ち、前述した畳下用の中桟を構成している。
【００８２】
ここで、必ずしも、中桟２７と腰壁９及び中桟１２、中桟２９と中桟１２、及び、中桟２８と中桟２９とが縦溝を介して嵌合される構造とされる必要はない。各部材を組み合わせて固定可能な構造であれば充分である。
【００８３】
以上までで説明した腰壁９、中桟１２、中桟２７、中桟２８及び中桟２９が土台２を構成し、組立茶室１を支持する部分となる。
【００８４】
図５は、建具の配置を示す概略図である。図６は、建具の木枠の構造の一例を示す概略平面図である。
【００８５】
図５に示すように、土台２の上に建具５が配置される。建具５の下端は腰壁９の上端面に設けられた溝部１０に嵌め込まれる。また、腰壁９は建具５の下端の外周面と接する凸部３１が形成され、外側に建具５が外れにくい構造とされている。
【００８６】
また、建具５は、隣接する部材同士が前述した連結具１５によって連結されている。なお、建具５は一定の高さを有しているため、上部と下部の２カ所に連結具１５を備え、強固に連結されたものとなっている。
【００８７】
ここで、必ずしも、建具５の隣接する部材同士が連結具１５によって連結される必要はない。例えば、隣接する部材の上端のそれぞれに突起を設け、各突起が挿通可能な孔を設けた連結具で連結する構造等も採用しうる。また、接合部分の形状に嵌合する嵌め込み式の金具等も採用しうる。
【００８８】
図６に示すように、建具５を構成する複数の木枠は各々が異なる構造を有している。例えば、木枠３２は左上に青色の光障子３３、右下に黄色の光障子３４が配置されている。また、木枠３５は外枠部分のみを有し、出入り口となる部分となっている。
【００８９】
また、その他の木枠も格子３６や横桟３７が設けられ、各々が異なる見栄えを有するものとなっている。
【００９０】
青色の光障子３３及び黄色の光障子３４は、図示しないアクリル導光板を、和紙を模した樹脂板で挟み、障子越しの明かりを再現したものとなっている。また、青色の光障子３３には青色のシートを貼りつけることで呈色させている。
【００９１】
ここで、必ずしも、建具５が木枠で構成される必要はない。例えば、全てをふすま状の建具とすることも可能である。
【００９２】
また、建具５を構成する木枠の構造も特に限定されるものではない。但し、光障子を採用することで、組立茶室１の意匠性を高めることができる。
【００９３】
アクリル導光板を電源と繋ぐ配線構造について説明する。
図７は、配線構造の一部を示す概略断面図である。
【００９４】
図７には、建具５の下端面及び腰壁９の上端面の断面構造を部分的に示している。図７に示す配線３８は、一端が前述した光障子を構成する導光板に、他端が電源コンバータ４５に連結されている。
【００９５】
建具５の内部には導通孔３９が形成されている。また、腰壁９の上端面の溝部１０の部分には、導通孔３９と対応する位置に導通孔４０が形成されている。また、腰壁９のうち、リブ材４１同士の間の溝部４２に面した領域４３の上端部分にも導通孔４４が形成されている。
【００９６】
導通孔３９、導通孔４０及び導通孔４４には、配線３８が挿通され、電源コンバータ４５へと連結されている。電源コンバータ４５は、前述した中桟１２、中桟２８及び中桟２９で囲まれた空間に配置されている。
【００９７】
電源コンバータ４５には、腰壁９の下端と地面との間の隙間を通された外部電源からの配線が繋げられている。また、電源コンバータ４５が木枠に設けられた光障子や、その他照明器具の電力供給源として機能する。
【００９８】
このように、配線３８が、建具５の内部や腰壁９の領域４３の部分に通されることで人の目につきにくい構造となっている。特に、腰壁９の領域４３は溝部４２に対応する位置であり、リブ材４１の存在により認識されにくい位置となっている。この結果、組立茶室１は、最低限の配線構造のみが露出したすっきりとした外観となり、意匠性の高い構造となっている。
【００９９】
図８は、支持床及び炉を配置する構造を示す概略図である。
【０１００】
組立茶室１の土台２の上部には、複数の底板４６が配置され、支持床３を構成している。支持床３は、土台２の略八角形の形状に沿って配置される８つの外側の底板と、その内側に配置される４つの底板とを有している。
【０１０１】
組立茶室１では、８つの腰壁９が略垂直に配置され、ずれなく略八角形の形状として組み上がった際の腰壁９で囲まれた領域の面積は、隣接する床板４６同士をぴったりと併せて配置した面積よりも大きくなっている。
【０１０２】
この面積の違いにより、隣接する床板４６同士の間に略５ｍｍ程度の間隙を空けて配置していくことが可能となる。間隙を設けることで、床板４６を木材で形成した際の素材の収縮や、地面の起伏や傾斜に起因して、腰壁９や中桟にずれが生じても、床板４６同士が干渉せず、敷き詰めやすい構造となっている。
【０１０３】
また、外側の底板４６は、外周側の端面が建具５と接し、腰壁９の凸部３１との間で建具５を挟みこむ構造となっている。建具５は、腰壁９の溝部１０と共に、外側の底板４６によっても固定され、安定した構造となる。
【０１０４】
また、底板４６には複数の把持孔４７が形成されている。搬送時や組立、取外しの際には、把持孔４７により底板４６が掴みやすいものとなっている。
【０１０５】
また、底板４６の一部には、炉８を配置するための孔部４８が形成されている。炉８は、炉受け４９、炉壇５０及び炉枠５１で構成されている。炉８は電熱炉であり、炉受け４９及び炉壇５０にはそれぞれ専用のコンセントが設けられ、更に電源コンバータ４５と連結されるものとなっている。
【０１０６】
ここで、必ずしも、複数の底板４６が外側と内側の底板に分けられる必要はない。適宜、形状と大きさを変更することができる。
【０１０７】
また、必ずしも、床板４６が、隣接する床板４６同士の間に略５ｍｍ程度の間隙を空けて配置される必要はない。但し、床板同士が干渉せず、敷き詰めやすくなる点から、床板４６が、隣接する床板４６同士の間に略５ｍｍ程度の間隙を空けて配置されることが好ましい。
【０１０８】
図９は、フローリング部を配置する構造を示す概略図である。
【０１０９】
図９に示すように、支持床３の上部かつ外周側には、８つのフローリング材５２が配置され、フローリング部６を構成している。フローリング材５２が配置されると、腰壁９の凸部９の高さと略同等の高さとなる。
【０１１０】
また、フローリング材５２は、外周側の端面が建具５と接し、腰壁９の凸部３１との間で建具５を挟みこむ構造となっている。建具５は、腰壁９の溝部１０や床板４６と共に、フローリング材５２によっても固定され、安定した構造となっている。
【０１１１】
図１０は、畳部を配置した組立茶室の完成状態を示す概略図である。
【０１１２】
図１０に示すように、フローリング材５２で囲まれた領域には５つの畳５３が配置され、畳部７を構成している。また、畳５３の一部には、炉８に対応する位置に孔部５４が形成され、炉縁５５が取り付けられている。
【０１１３】
前述したフローリング部６及び畳部７により居住床４が構成され、この部分に人が座る領域となる。
【０１１４】
また、フローリング材５２及び畳５３も、前述した床板４６と同様に、隣接する部材同士の間に略５ｍｍ程度の間隙を空けて配置していくことが可能となっている。この間隙を設けることで、素材の収縮や、地面の凹凸や傾斜に起因して、腰壁９や中桟にずれが生じても、フローリング材５２及び畳５３同士が干渉せず、敷き詰めやすい構造となっている。
【０１１５】
以上までに説明した組立茶室１の構築方法について説明し、本発明の理解に供する。なお、以下の説明は、本発明の実施の形態の一例にすぎず、本発明の内容が以下に記載の内容に限定されるものではない。
【０１１６】
まず、図２（ａ）に示すように、腰壁９を配置していき、土台２の外枠形状を形成していく。この際、隣接する部材同士は、連結具１５で連結していく。また、地面に起伏や傾斜がある場合には、アジャスター２３の高さや角度を調節して、腰壁９の上端面の高さ位置を合せて配置していく。
【０１１７】
図２（ｂ）に示すように、腰壁９の内側に、八角形用の中桟１２を配置していく。中桟１２は、縦溝１４を有する部材と、縦溝１３を有する部材を交互に配置し、連結具１５で繋いでいく。また、外側の面に位置する縦溝１３と腰壁９の縦溝１１の位置を対応させて中桟１２を配置する。中桟１２もアジャスター２３で上端の高さ位置を合わせる。
【０１１８】
図４（ａ）に示すように、腰壁９及び中桟１２の間に、フローリング下用の中桟２７を配置していく。中桟２７は、腰壁９の縦溝１１及び中桟１２の縦溝１３に中桟２７の両端を嵌合させ、落とし込んでいく。
【０１１９】
図４（ｂ）に示すように、中桟１２で囲まれた領域に、畳下用の中桟２８及び中桟２９を配置していく。先に中桟２９を中桟１２の縦溝１３に嵌合させて配置し、その後、中桟２８を組み合わせる。中桟２７、中桟２８及び中桟２９もアジャスター２３で上端の高さ位置を合わせる。ここまでで土台２が完成する。
【０１２０】
続いて、図５に示すように、土台２の上部に建具５を配置していく。建具５は下端を腰壁９の上端面に設けられた溝部１０に嵌合させる。また、隣接する建具５同士は連結具１５で連結させる。
【０１２１】
建具５は、１つめの部材から右回りまたは左回りのいずれかに順番で連結し、配置していく。隣接する建具５同士で支持しながら配置していくものとなっている。
【０１２２】
建具５の配置の際には、その内部に納められた導光板と連結された配線を腰壁９の貫通孔４０及び貫通孔４４に挿通させ、腰壁９で囲まれた領域の内側へと引っ張っていく。
【０１２３】
また、電源コンバータ４５を中桟１２、中桟２８及び中桟２９で囲まれた空間に配置する。また、外部電源から配線を引き、一部の腰壁９の下端と地面の間に配線を通し、電源コンバータ４５に連結させる。そして、電源コンバータ４５の配線と導光板の配線を連結させる。電源コンバータ４５の配線は、必要に応じて、証明器具等の配線と連結させる。
【０１２４】
図８に示すように、土台２の上部に床板４６を配置していく。この際、隣接する床板４６同士の間には略５ｍｍ程度の間隙を設けながら配置していく。間隙を設けることで、部材同士の干渉が生じにくくすることができる。
【０１２５】
また、床板４６の外周側の端面と腰壁９の凸部３１との間で建具５を挟みこみ、建具５を支持する。
【０１２６】
また、床板４６に設けられた孔部４８に炉８を収容する。この際、炉受け４９及び炉壇５０のコンセントを繋ぎ、更に電源コンバータ４５の配線と連結させ、電熱炉の電源を確保する。
【０１２７】
図９に示すように、支持床３の上部かつ外周側にフローリング材５２を配置していく。また、フローリング材５２の外周側の端面と腰壁９の凸部３１との間で建具５を挟みこみ、建具５を支持する。
【０１２８】
また、図１０に示すように、フローリング材５２で囲まれた領域に畳５３を配置する。また、炉８に対応する位置に炉縁５５を配置する。
【０１２９】
以上、説明した手順で組立茶室１を構築することができるものとなっている。
【０１３０】
本発明を適用した組立茶室１は、土台、床面及び建具の各領域を組み上げるだけで構築可能であり、構築に特別な技術を必要としない簡易な構造となっている。
【０１３１】
また、土台、床面、建具は複数の部材に分割されているので、運搬が容易であり、効率よく組み上げることができるものとなっている。また、枠状に形成された中桟は、支持強度を保ちながら、持ち運びが容易な部材となっている。更に、土台部分の通気性を確保するものともなっている。
【０１３２】
また、土台を構成する腰壁及び中桟の下面には、高さ及び角度が可変可能なアジャスターが設けられている。これにより、腰壁や中桟を組み上げる際に、地面の起伏や傾斜に応じて、各部材の高さや向きを変えることができ、土台の上端の高さを合わせることが可能な構造となっている。
【０１３３】
この結果、床面を水平に配置することが可能となり、組立茶室を設置する場所の選択の幅を広げることができるものとなっている。
【０１３４】
また、土台の腰壁、八角形用の中桟、建具は隣接する部材同士を連結具によって容易に連結することができる。連結具は、六角ドライバーのみで連結させることが可能であり、特別な技術を要さず、組立が可能となっている。また、組立茶室を安定した構造となる。
【０１３５】
また、床材、フリーリング部、畳部の各部材は、配置時に隣接する部材同士の間に所定の間隙を設けて配置している。これにより、地面の起伏や傾斜、組み上げられた土台に歪みが生じていた場合にも、隣接する部材同士の干渉が生じにくく、平坦な床面を形成することができる。
【０１３６】
また、組立茶室１では、建具の一部に、電源と繋いで発光する光障子が配置されている。これにより、和風の雰囲気を与えると共に、意匠性を高めた構造となっている。
【０１３７】
また、配線構造を、建具の内部や、腰壁のリブ材の間の領域に通すことで、目立たないものとしている。更に、電源コンバータは、土台の内部に配置され、配線や電源設備が目につきにくいことで、組立茶室の意匠性を高めるものとなっている。
【０１３８】
以上のように、本発明に組立構造物は、容易に構築可能かつ意匠性に優れると共に、多様な設置場所に対応可能なものとなっている。
また、本発明の組立構造物の構築方法は、容易に構築可能かつ意匠性に優れると共に、多様な設置場所に対応可能な方法となっている。
【符号の説明】
【０１３９】
１      組立茶室
２      土台
３      支持床
４      居住床
５      建具
６      フローリング部
７      畳部
８      炉
９      腰壁
１０      溝部
１１      縦溝
１２      中桟
１３      縦溝
１４      縦溝
１５      連結具
１６      左側の腰壁
１７      右側の腰壁
１８      雌型具
１９      雄型具
２０      孔
２１      可動凸部
２２      凸部
２３      アジャスター
２４      軸部
２５      ナット
２６      接地部
２７      中桟
２８      中桟
２９      中桟
３０      縦溝
３１      凸部
３２      木枠
３３      青色の光障子
３４      黄色の光障子
３５      木枠
３６      格子
３７      横桟
３８      配線
３９      導通孔
４０      導通孔
４１      リブ材
４２      溝部
４３      溝部に面した領域
４４      導通孔
４５      電源コンバータ
４６      底板
４７      把持孔
４８      孔部
４９      炉受け
５０      炉壇
５１      炉枠
５２      フローリング材
５３      畳
５４      孔部
５５      炉縁
【図１】
2015229834.tif 000003
【図２】
2015229834.tif 000004
【図３】
2015229834.tif 000005
【図４】
2015229834.tif 000006
【図５】
2015229834.tif 000007
【図６】
2015229834.tif 000008
【図７】
2015229834.tif 000009
【図８】
2015229834.tif 000010
【図９】
2015229834.tif 000011
【図１０】
2015229834.tif 000012
【図１１】
2015229834.tif 000013